(57)【要約】      （修正有）【課題】衛星のための保守が容易な増幅器モジュールを提供する。【解決手段】通信衛星の増幅器モジュール２０を動作させるための方法は、増幅器モジュール２０の望ましくない状態を確定するステップと、望ましくない状態が確定された後に、その望ましくない状態を示す状態データ８２を増幅器モジュール２０の不揮発性メモリ７０に記憶するステップと、状態データ８２を記憶した後に増幅器モジュール２０を非活動化するステップとを含む。【選択図】図２
2014183591.tif 000002
【特許請求の範囲】
【請求項１】
通信衛星（１０）の増幅器モジュール（２０）を動作させるための方法であって、
前記増幅器モジュール（２０）の望ましくない状態を確定するステップと、
前記望ましくない状態が確定された後に、前記望ましくない状態を示す状態データ（８２）を前記増幅器モジュール（２０）の不揮発性メモリ（７０）に記憶するステップと、
前記状態データ（８２）を記憶した後に前記増幅器モジュール（２０）を非活動化するステップと、
を含むことを特徴とする方法。
【請求項２】
前記望ましくない状態が、前記増幅器モジュール（２０）の記録されたパラメータ（８０）に適用され、かつ、前記記録されたパラメータ（８０）から前記望ましくない状態を確認する保護機能を実行することによって確定されることを特徴とする請求項１に記載の方法。
【請求項３】
前記記憶された状態データ（８２）が前記保護機能のタイプを含むことを特徴とする請求項２に記載の方法。
【請求項４】
前記記憶された状態データ（８２）が、前記保護機能によって処理された、前記増幅器モジュール（２０）のパラメータ（８０）の値を含むことを特徴とする請求項２または３に記載の方法。
【請求項５】
前記記憶された状態データ（８２）が、前記望ましくない状態を確定する前に記録された、および／または前記増幅器モジュール（２０）を非活動化する前に記録された前記増幅器モジュール（２０）のパラメータ（８０）の値を含むことを特徴とする請求項１から４のいずれか一項に記載の方法。
【請求項６】
他の望ましくない状態を確定するステップ、および前記他の望ましくない状態に関連する他の状態データ（８２）を記憶するステップをさらに含み、したがって前記状態データおよび前記他の状態データが一緒に前記不揮発性メモリ（７０）に記憶されることを特徴とする請求項１から５のいずれか一項に記載の方法。
【請求項７】
前記記憶された状態データ（８２）を地上局に伝送するステップをさらに含むことを特徴とする請求項１から６のいずれか一項に記載の方法。
【請求項８】
前記増幅器モジュール（２０）が前記地上局から対応するテレコマンド（２８）を受け取ると、前記記憶された状態データ（８２）が伝送されることを特徴とする請求項７に記載の方法。
【請求項９】
前記増幅器モジュール（２０）が再起動されると、前記記憶された状態データ（８２）が自動的に伝送される、請求項７に記載の方法。
【請求項１０】
前記記憶された状態データ（８２）が、前記地上局に伝送された後、前記不揮発性メモリ（７０）に記憶された状態を維持することを特徴とする請求項７から９のいずれか一項に記載の方法。
【請求項１１】
通信衛星（１０）のための増幅器モジュール（２０）であって、
増幅器ユニット（３０）と、
前記増幅器ユニット（３０）を起動するためのコントローラ（６０）と、
を備え、前記コントローラ（６０）が、外部電源（１６）によって前記増幅器モジュール（２０）に電力が供給されない場合、前記増幅器モジュール（２０）の状態データ（８２）を記憶するために具体化される不揮発性書込み可能メモリ（７０）を備え、
前記コントローラ（６０）が、請求項１から１０のいずれか一項に記載の方法を実行するように具体化されることを特徴とする増幅器モジュール（２０）。
【請求項１２】
前記コントローラ（６０）が、前記増幅器モジュール（２０）の動作パラメータおよび／または設定可能パラメータ（８０）を状態データ（８２）として記録するために具体化される遠隔測定構成要素（６８）を備えることを特徴とする請求項１１に記載の増幅器モジュール（２０）。
【請求項１３】
前記コントローラ（６０）が、前記増幅器モジュール（２０）の動作パラメータおよび／または設定可能パラメータ（８０）を解析し、それにより前記増幅器モジュール（２０）の望ましくない状態を決定するために具体化される保護機能構成要素（６６）を備えることを特徴とする請求項１１または１２に記載の増幅器モジュール（２０）。
【請求項１４】
前記不揮発性メモリ（７０）に記憶されている状態データ（８２）の伝送をトリガするテレコマンド（２８）を受け取るために具体化されるテレコマンドインタフェース（６４）をさらに備えることを特徴とする請求項１１から１３のいずれか一項に記載の増幅器モジュール（２０）。
【請求項１５】
増幅器ユニット（３０）として進行波管をさらに備えることを特徴とする請求項１１から１４のいずれか一項に記載の増幅器モジュール（２０）。
【発明の詳細な説明】
【技術分野】
【０００１】
本発明は、通信衛星の増幅器モジュールを動作させるための方法および増幅器モジュールに関する。
【背景技術】
【０００２】
典型的には進行波管モジュールとして具体化される進行波管増幅器（ＴＷＴＡ）は、主として衛星内の電力増幅器として使用されている。これらのモジュールは、主として高周波特性を決定する進行波管、および進行波管のための供給電圧を生成する電源、衛星に対する遠隔測定および／またはテレコマンドインタフェース、およびコントローラを備えている。進行波管モジュールは、前置増幅器（チャネル増幅器とも呼ばれている）によって補足することができ、この前置増幅器はリニアライザを含むことも可能である。前置増幅器は、ハウジング内の他の構成要素と統合することができる。したがってこの組合せは、高周波電力モジュールと呼ばれている。
【０００３】
進行波管モジュールおよび増幅器モジュールは、一般に、増幅器を損傷から保護し、例えば極端に低い供給電圧、電源の出力の過負荷、遅延構造に対する極端な高電流などから増幅器を保護するための１つまたは複数の保護機能が具体化される保護機能構成要素を備えることも可能である。これらの保護機能のうちの１つが起動されると、増幅器モジュールは自動的に停止する。
【０００４】
地上局は、通常、衛星から地上局へ伝送される遠隔測定データを介して、増幅器モジュールが停止したこと、あるいは増幅器モジュールが首尾良く再始動したことについても通知を受ける。しかしながら、地上局は、デバイスが故障を示した理由、あるいはどの保護機能が起動されたかを遠隔測定データから認識することはできない。
【０００５】
一般に、遠隔測定データは、アナログデータの場合はアナログ値として衛星に提供され、あるいは状態データまたは増幅器モジュールからのデジタルワードとして既にデジタル化されている場合はデジタル情報として衛星に提供される。衛星のシステムは一定の時間間隔でデータを読み取り、２つの読取り手順の間の時間は、通常、数秒（例えば６０秒）である。増幅器モジュールの自動再始動に成功すると、それは、対応する状態遠隔測定によって示される。しかしながら、通常、保護機能をトリガしたパラメータをこれらのデータから確定することはできない。また、読取り時間間隔が長いため、遠隔測定データは即座に提供されない。
【０００６】
深宇宙ミッションのために、故障の場合に、どのパラメータが保護機能をトリガしたかを追加的に示すデバイスが開発されている。しかしながら、保護機能によってデバイスが完全に停止してしまうと、その情報が失われる。さらに、遠隔測定のデータは即座に提供されない。
【発明の概要】
【発明が解決しようとする課題】
【０００７】
本発明の目的は、衛星のための保守が容易な増幅器モジュールを提供することである。
【課題を解決するための手段】
【０００８】
この目的は、独立請求項の主題によって達成される。本発明の他の実施形態は、従属請求項および以下の説明から得られる。
【０００９】
本発明の一態様は、通信衛星の増幅器モジュールを動作させるための方法に関する。
【００１０】
増幅器モジュールは、増幅器ユニットと、増幅器ユニットを起動するためのコントローラとを備えることができる。通信衛星は、それぞれ衛星の１つのチャネルに割り当てることができる複数の増幅器モジュールを有することができることを理解されたい。
【００１１】
増幅器モジュールは、増幅が進行波管によって生じる進行波管モジュールであってもよい。しかしながら、増幅器モジュールは、半導体増幅器を有する半導体増幅器モジュールであってもよい。
【００１２】
本発明の一実施形態によれば、上記方法は、増幅器モジュールの望ましくない状態を確定するステップと、望ましくない状態が確定された後に、その望ましくない状態を示す状態データを増幅器モジュールの不揮発性メモリに記憶するステップと、状態データを記憶した後に増幅器モジュールを非活動化するステップとを含む。
【００１３】
本発明の核心部分は、故障、すなわち望ましくない状態の結果として増幅器モジュールを非活動化する（少し）前に、その故障に関する情報、すなわち最新の状態データが不揮発性メモリに記憶され、したがって非活動化によって増幅器モジュールが衛星の電源から切り離されても、ある時間の間、これらのデータを依然として利用することができることである、と考えることができる。
【００１４】
故障が生じると、衛星のオペレータは、この方法でどういう障害が存在しているかを学習することができ、詳細には増幅器モジュールの動作が永久に損なわれるかどうかを学習することができる。さらに、増幅器モジュールには、直ちに生じる手順（例えば故障、望ましくない状態の認識）のための情報の項目がやはり存在しており、これらは、速度が遅い定期的なデータ問合せ（例えば場合によっては６０秒毎に生じる）によっては記録されない。
【００１５】
望ましくない状態は、例えば障害の存在、故障、または間もなく生じるであろう障害であり得る。望ましくない状態は、特定の動作パラメータまたは測定値が定義済みの閾値を超えるか、あるいは定義済みの閾値未満になることであってもよい。
【００１６】
不揮発性メモリは、通常、大気圏外空間の環境条件に耐える目的で具体化され、すなわち不揮発性メモリは、広範囲にわたる温度変化に耐えることができ、および／または放射線に耐えることができる。動作中に衛星がさらされる環境条件は、通常、衛星が軌道に打ち上げられると交換することができないか、あるいは交換に困難が伴うだけである様々な電子構成要素を設置するのを当業者が中止する環境条件である。
【００１７】
増幅器モジュールの非活動化は、この場合、増幅器モジュールの停止であり、停止している間、増幅器モジュールが例えば衛星の電源から切り離される停止として理解することができる。同様に、増幅器モジュールの起動は、ターンオン、すなわち衛星の電源への増幅器モジュールの接続として理解することができる。
【００１８】
本発明の一実施形態によれば、望ましくない状態は、増幅器モジュールの記録されたパラメータに適用され、記録されたパラメータから望ましくない状態を確認する保護機能を実行することによって確定される。記録されたパラメータは、例えば測定値および／または動作パラメータを含むことができ、例えば増幅器モジュールの入力電流または入力電力、あるいは調整器電圧、進行波管の供給電圧または電流を含むことができる。しかしながら記録されたパラメータは、設定可能パラメータ、例えば構成パラメータであってもよい。
【００１９】
保護機能は、例えばパラメータが閾値より大きいか、あるいは閾値より小さいかどうか、または定義済みの時間間隔内であるか、あるいは時間間隔外であるかどうか比較することができる。例えば保護機能は、増幅器モジュールの入力電力が特定の値未満に低下したことを確定することができ、次に望ましくない状態として認識される。
【００２０】
本発明の一実施形態によれば、記憶された状態データは保護機能のタイプを含む。例えば応答した保護機能をデジタルワードに符号化された形態で記憶することができる。
【００２１】
本発明の一実施形態によれば、記憶された状態データは、保護機能によって処理されたパラメータの値を含む。これらの値は、例えば動作パラメータ（例えば入力電力）であってもよく、また、任意選択で関連する閾値であってもよい。
【００２２】
本発明の一実施形態によれば、記憶された状態データは、望ましくない状態を確定する（少し）前に記録された（例えば測定された、および／または測定された値から計算された）、および／または増幅器モジュールを非活動化する（少し）前に記録された増幅器モジュールのパラメータの値を含む。例えば定義済みのセットの動作パラメータおよび／または設定可能パラメータを状態データとして記憶することができる。この文脈においては、「少し」は、例えば１０ｍｓ未満または１ｍｓ未満を意味することができる。
【００２３】
本発明の一実施形態によれば、上記方法は、他の望ましくない状態を確定するステップ、および該他の望ましくない状態に関連する他の状態データを記憶するステップをさらに含み、したがって状態データおよび他の状態データが一緒に不揮発性メモリに記憶される。１つの（すなわち最も新しい）望ましくない状態のみに対する状態データが不揮発性メモリに記憶されるのではなく、複数の望ましくない状態、例えば一定の数の既に発生済みの望ましくない状態に対する状態データが不揮発性メモリに記憶されることが可能となる。
【００２４】
例えばオペレーション技術上の理由で地上局が望ましくない状態に関するデータを読み取ることができない場合、その間に他の望ましくない状態が生じたとしても依然として情報を利用することができる。
【００２５】
また、記憶された状態データは、望ましくない状態が確定された時点を示す時間値を含むことも可能である。複数のセットの状態データが記憶される場合、２つの望ましくない状態の間の時間をも記憶し、発生した順番に時間を割り当てることができる。
【００２６】
増幅器モジュールの増幅器機能の中断を可能な限り短い時間に維持するために、いくつかの増幅器モジュールは、短時間の待機時間（例えば数ミリ秒）の後、増幅器モジュールの再始動を試行する自動機構を有している。次に故障が修復されると、増幅器は、そのままターンオンの状態を維持し、依然として故障が存在している場合は、増幅器モジュールは永久にターンオフする。これは、故障が短時間の間に再び発生した場合にも適用することができる。これらの場合、複数のセットの状態データを不揮発性メモリに記憶することも可能である。
【００２７】
本発明の一実施形態によれば、上記方法は、記憶された状態データを地上局に伝送するステップをさらに含む。例えば増幅器モジュールが再起動すなわち再始動された後、望ましくない状態に関する情報を遠隔測定チャネルを介して読み取ることができる。増幅器モジュールが自動的に再起動された場合でも、いつでも情報を読み取ることができる。
【００２８】
さらに、増幅器モジュールの動作パラメータおよび／または瞬時に設定されるパラメータは、望ましくない状態すなわち故障が生じなくても、数秒の時間間隔で読み取り（例えば３０秒毎または６０秒毎に）、かつ、地上局に伝送することも可能である。
【００２９】
本発明の一実施形態によれば、記憶された状態データは、増幅器モジュールが地上局から対応するテレコマンドを受け取ると伝送される。例えば地上局は、対応する要求（テレコマンド）を増幅器モジュールに送ることができ、次に増幅器モジュールは、読み取るための対応する状態データを提供し、あるいはそれらを１つまたは複数の遠隔測定チャネルを介して地上局に伝送することができる。
【００３０】
本発明の一実施形態によれば、記憶された状態データは、増幅器モジュールが再起動されると自動的に伝送される。例えば増幅器モジュールがテレコマンドを介して、あるいは自動的に再始動されると、その再起動に反応して状態データを地上局に自動的に伝送することができる。
【００３１】
本発明の一実施形態によれば、記憶された状態データは、地上局に伝送された後、不揮発性メモリに記憶された状態を維持する。状態データは、それらが消去されるか、あるいは新しい状態データが上書きされる前の特定の時間期間の間、読取りのために自動的に利用することができる。
【００３２】
本発明の他の態様は、通信衛星のための増幅器モジュールに関する。モジュールは、例えば共有ハウジングまたは共有キャリヤ要素を有するアセンブリであってもよく、この共有ハウジングまたは共有キャリヤ要素の上に増幅器モジュールの構成要素が固定され、および／またはこの共有ハウジングまたは共有キャリヤ要素を使用して増幅器モジュールの構成要素、例えばコントローラ、保護機能構成要素、遠隔測定構成要素、増幅器ユニット、例えば進行波管または半導体増幅器などを衛星内に共同して設置することができる。
【００３３】
本発明の一実施形態によれば、増幅器モジュールは、増幅器ユニットと、増幅器ユニットを起動するためのコントローラとを備えている。増幅器ユニットは進行波管であってもよい。進行波管は、例えば、電圧が印加されると電子ビームを生成するために具体化されるエミッタと、増幅器部分であって、この中を電子ビームが通過し、この中に導体が配置され、この導体を通過する高周波信号を電子ビームによって増幅することができる増幅器部分と、電子ビームを吸収し、かつ、吸収した電子ビームをエミッタに戻すために具体化されるコレクタとを備えることができる。
【００３４】
さらに、増幅器モジュールは、例えば増幅器モジュールの他の構成要素と共に合同アセンブリ内に設置される前置増幅器および／またはリニアライザを備えることができる。
【００３５】
進行波管モジュールの場合、１つの電源によって２つの進行波管に電力を供給し、かつ、恐らくは共有の前置増幅器を有することも可能であり、あるいは進行波管がそれぞれ個別に前置増幅器を有することも可能である。
【００３６】
さらに、コントローラは、衛星の外部電源によって増幅器モジュールに電力が供給されない場合、増幅器モジュールの状態データを記憶するために具体化される不揮発性書込み可能メモリを備えている。この不揮発性メモリは、例えば増幅器モジュール内のコントローラの電子回路とは別に設置することができる専用チップで提供することができる。
【００３７】
不揮発性メモリおよび／またはコントローラは、増幅器モジュールの電源の中（または電源のハウジングの中）に収納することができる。しかしながら不揮発性メモリおよび／またはコントローラは、前置増幅器および／またはリニアライザの中に収納することも、あるいは一部を電源の中に収納し、また、一部を前置増幅器および／またはリニアライザの中に収納することも可能である。
【００３８】
増幅器モジュールがターンオフ、すなわち非活動化されている場合であっても、増幅器モジュールの望ましくない状態に関する情報の項目を提供することができるようにするために、コントローラは、上で説明した動作方法および以下で説明する動作方法を実行するように具体化されている。増幅器モジュールの特徴は、場合によっては上記方法の特徴でもあり、逆に、上記方法の特徴は、場合によってはこの増幅器モジュールの特徴でもあることを理解されたい。
【００３９】
本発明の一実施形態によれば、コントローラは、増幅器モジュールの動作パラメータおよび／または設定可能パラメータを状態データとして記録するために具体化される遠隔測定構成要素を備えている。遠隔測定構成要素は、測定センサを起動し、得られた測定値を例えばデジタルの形態で提供することができる。
【００４０】
本発明の一実施形態によれば、コントローラは、増幅器モジュールの動作パラメータおよび／または設定可能パラメータを状態データとして解析し、それにより増幅器モジュールの望ましくない状態を決定するために具体化される保護機能構成要素を備えている。例えば遠隔測定構成要素は、これらのパラメータを保護機能構成要素に提供することができる。
【００４１】
本発明の一実施形態によれば、増幅器モジュールは、不揮発性メモリに記憶された状態データの伝送をトリガするテレコマンドを地上局から受け取るために具体化されるテレコマンドインタフェースをさらに備えている。例えばこのテレコマンドインタフェースは、増幅器モジュールの外部インタフェースであってもよく、増幅器モジュールは、この外部インタフェースを使用して衛星の他のコントローラと通信することができる。
【００４２】
要約すると、このような動作方法およびこのような増幅器モジュールは、以下の利点を有することができる。増幅器モジュールに故障が生じると、情報の項目は、応答した保護回路または応答した保護機能に関して利用することができる。故障が反復して生じると、同じ原因が常に存在しているかどうかを確定することができる。故障が生じた時点で即座に記録された遠隔測定データは、障害の時点における増幅器モジュールの動作状態に関する情報を提供することができる。この情報を使用して障害を探求し、障害の原因を突き止めることができる。
【００４３】
以下、本発明の例示的実施形態について、添付の図を参照してより詳細に説明する。
【図面の簡単な説明】
【００４４】
【図１】本発明の一実施形態による通信衛星の略図である。
【図２】本発明の一実施形態による増幅器モジュールの略図である。
【図３】本発明の一実施形態による、増幅器モジュールを動作させるための方法を示すフローチャートである。
【００４５】
基本的には、全く同じ部品または同様の部品は、全く同じ参照符号で示されている。
【発明を実施するための形態】
【００４６】
図１は、アンテナ１２、主制御ユニットすなわち主コントローラ１４、および例えば太陽パネル１８によってエネルギーが供給される電源１６を有する通信衛星１０を示したものである。
【００４７】
さらに、通信衛星１０は、進行波管モジュール２０の形態の増幅器モジュール２０を有している。図１には通信衛星１０の１つのチャネルしか示されていないが、通常、通信衛星１０は、それぞれ進行波管モジュール２０を備えることができる複数のチャネルを有することができる。
【００４８】
通信衛星１０は、アンテナ１２を介して高周波信号２２を受け取り、かつ、受け取った高周波信号２２を進行波管モジュール２０に中継することができる。高周波信号２２は、進行波管モジュール２０の中で増幅高周波信号２４の形態に増幅され、増幅されたこの増幅高周波信号２４は、アンテナ１２（または他のアンテナ）を介してもう一度放出することができる。進行波管モジュール２０には、この場合、電源１６を介して電圧２６が供給されている。さらに、進行波管モジュール２０は、制御ユニット１４によって起動することができ、また、例えばアンテナ１２を介して受け取られ、かつ、制御ユニット１４によって解析された例えばテレコマンド２８を受け取ることができる。
【００４９】
図２は、進行波管モジュール２０をブロック図でより詳細に示したものである。進行波管モジュール２０は、高周波入力３２を介して高周波信号２２を受け取り、かつ、高周波出力３４を介して増幅高周波信号２４を出力する進行波管３０を備えている。
【００５０】
進行波管３０は、電子ビーム３８を生成するために使用することができるエミッタ３６、および電子ビーム３８をもう一度吸収するコレクタ４０を備えている。この方法によれば、電子ビーム３８からの電流をエミッタ３６に戻すことができる。高周波信号２２が電子ビーム３８によって増幅される増幅器領域４２は、エミッタとコレクタ３８の間に位置している。高周波信号２２は、この場合、進行波管３０を介して、コイル状の導体４４によって送られる。
【００５１】
進行波管モジュール２０は、高周波入力３２と進行波管３０の間にチャネル増幅器および／またはリニアライザ４６を有することができ、これを使用して、進行波管３０への供給に先立って、増幅されていない高周波信号２２を予め増幅し、および／または直線化することができる。
【００５２】
進行波管モジュール２０の残りの構成要素は、進行波管３０のための電源を表している。
【００５３】
進行波管３０には、高電圧発生器５０によって複数の供給電圧５２が供給され、例えばアノード電圧、１つまたは複数のコレクタ電圧、エミッタのカソード電圧などが供給される。
【００５４】
高電圧発生器５０のための供給電圧５４は、衛星１０の電源１６からの電圧２６を一定の一様なＤＣ電圧に変換する前置調整器およびフィルタ５６によって提供される。
【００５５】
進行波管モジュール２０は、さらに、中央構成要素６２を備えたコントローラ６０、遠隔測定およびテレコマンドインタフェース６４、保護機能構成要素６６、遠隔測定構成要素６８および不揮発性データメモリ７０を備えている。コントローラ６０またはその構成要素６２、６４、６６、６８、７０には、前置調整器およびフィルタ５６によって電圧７４が供給される補助電圧源７２によって電圧が供給される。
【００５６】
遠隔測定構成要素６８内では、進行波管モジュール２０の遠隔測定データまたは動作パラメータおよび設定可能パラメータ８０が記録され、かつ、収集される。例えば遠隔測定構成要素６８は、高電圧発生器５０、前置調整器およびフィルタ５６、およびチャネル増幅器および／またはリニアライザ４６からのセンサデータを記録し、かつ、それらをデジタル形態に変換することができる。
【００５７】
保護機能構成要素６６内では、保護機能および／または警報機能が実行され、記録されたパラメータ８０が所望の範囲内を移動しているかどうか検査される。そのために、保護機能構成要素６６は、これらのパラメータを直接記録することができ、および／または遠隔測定構成要素６８によって提供されるそれらを受け取ることができる。保護機能の例は、不足電圧保護、過負荷保護などである。
【００５８】
不揮発性データメモリ７０すなわちメモリ構成要素７０には、状態データ８２として、厳格に定義されたデータを記憶することができ、あるいは現在のデータ、例えば動作パラメータおよび設定可能パラメータ８０を記憶することができる。保護機能が起動されると、コントローラ６０は、トリガパラメータ７０を決定することができ、任意選択ですべての遠隔測定データを記録し、かつ、この情報をデータメモリ７０に記憶する。データメモリ７０は不揮発性メモリ７０であるため、状態データ８２は、増幅器モジュール２０が再始動され、あるいは自動的に再始動した後でも、また、しばらくの間、電力の供給が遮断した後でも利用可能である。
【００５９】
遠隔測定およびテレコマンドインタフェース６４は、衛星１０の他の構成要素１４に接続されており、したがって地上の制御局に接続されていることを表している。増幅器モジュール２０またはコントローラ６０は、インタフェースを介してテレコマンド、例えば制御コマンドを受け取ることができ、あるいは増幅器モジュール２０またはコントローラ６０は、動作状態に関するデータを引き渡すことができる。
【００６０】
コントローラ６０の中央構成要素６２は、すべての手順、例えば保護機能のトリガ、状態データの記憶および読取りなどを調整し、かつ、監視することができる。
【００６１】
図３は、増幅器モジュール２０を動作させるために使用することができるフローチャートを示したものである。
【００６２】
ステップ９０で増幅器モジュール２０の望ましくない状態が確定される。そのために、保護機能モジュールは、記録された、遠隔測定構成要素６８によって発せられたパラメータ８０を例えば閾値と個々に比較し、かつ、値が閾値より大きいか、あるいは閾値より小さい場合、警報をトリガすることができる。
【００６３】
例えば前置調整器およびフィルタ５６の入力電力が特定の値より小さくなると、電圧供給不足に対する警報をトリガすることができる。また、例えば進行波管のコレクタ電圧が特定の値より大きくなると、過電圧に対する警報をトリガすることができる。
【００６４】
望ましくない状態が確定されると、ステップ９２で、その望ましくない状態を表す状態データ８２が不揮発性メモリ７０に記憶される。これは、例えば、保護機能の警報を受け取り、また、記憶すべき状態データ８２または関連するパラメータを読み取るコントローラ６０の中央構成要素６２によって実施することができる。
【００６５】
記憶された状態データ８２は、保護機能のタイプおよび／または保護機能がトリガされた時点を含むことができる。例えば保護機能に番号を振ることができ、また、対応する番号を状態データ８２の中に記憶することができる。
【００６６】
記憶された状態データ８２は、保護機能によって処理された、増幅器モジュール２０のパラメータ８０の値、例えば入力電力またはカソード電圧を含むことができる。
【００６７】
さらに、記憶された状態データ８２は、望ましくない状態を確定する前に記憶された、および／または増幅器モジュール２０が非活動化される前に記録された、増幅器モジュール２０のさらに他のパラメータ８０の値を含むことも可能である。例えば状態データ８２が記憶される毎に、進行波管３０のために記録されたすべての電圧値および電流値を記憶することも可能である。
【００６８】
状態データ８２が記憶されると、ステップ９４で増幅器モジュール２０が非活動化される。例えばコントローラ６０の中央構成要素６２は、増幅器モジュール２０をその供給電圧から開放するよう、前置調整器およびフィルタ５６に命令することができる。
【００６９】
ステップ９６で、例えば衛星１０の外部コントローラ１４を介して増幅器モジュール２０が再起動され、増幅器モジュール２０は、例えば特定の時間が経過すると自動的に開始手順を実行し、あるいは開始手順を実行するよう、地上局の対応するテレコマンドによって指令される。
【００７０】
ステップ９８で、記憶された状態データ８２が地上局に伝送される。これは、例えばコントローラ６０が対応するテレコマンド２８を地上局から受け取ることによって指令することができ、および／または増幅器モジュール２０が再起動されると、コントローラ６０は、記憶された状態データ８２を自動的に伝送する。そのために、コントローラ６０は、例えば増幅器モジュール２０が始動した後、未だ伝送されていない状態データ８２が存在しているかどうか、不揮発性メモリ７０を検査することができ、かつ、引き続いてそれらを地上局へ伝送することができる。
【００７１】
さらに、「備える」は、他の要素またはステップを排他するものではなく、また、単数形（「ａ」または「ａｎ」）の表現は、複数形の表現を排他するものではないことに留意されたい。さらに、上記複数の例示的実施形態のうちの１つを参照して説明されている特徴またはステップは、上で説明した他の例示的実施形態の他の特徴またはステップと組み合わせて使用することも可能であることに留意されたい。特許請求項中の参照符号は、限定を意味するものと見なしてはならない。
【符号の説明】
【００７２】
１０  通信衛星
１２  アンテナ
１４  主制御ユニットすなわち主コントローラ
１６  電源
１８  太陽パネル
２０  増幅器モジュール（進行波管モジュール）
２２  高周波信号
２４  増幅高周波信号
２６  電源１６からの電圧
２８  テレコマンド
３０  進行波管（増幅器ユニット）
３２  高周波入力
３４  高周波出力
３６  エミッタ
３８  電子ビーム
４０  コレクタ
４２  増幅器領域
４４  コイル状の導体
４６  チャネル増幅器および／またはリニアライザ
５０  高電圧発生器
５２  進行波管３０のための供給電圧
５４  高電圧発生器５０のための供給電圧
５６  前置調整器およびフィルタ
６０  コントローラ
６２  コントローラ６０の中央構成要素
６４  遠隔測定およびテレコマンドインタフェース
６６  保護機能構成要素
６８  遠隔測定構成要素
７０  不揮発性データメモリ（データメモリ）
７２  補助電圧源
７４  前置調整器およびフィルタ５６によって補助電圧源７２に供給される電圧
８０  進行波管モジュール２０の遠隔測定データまたは動作パラメータおよび設定可能パラメータ
８２  状態データ
【図１】
2014183591.tif 000003
【図２】
2014183591.tif 000004
【図３】
2014183591.tif 000005
【外国語明細書】
2014183591000001.pdf